(57)【要約】【課題】  表示部を視認しているか否かを容易かつ高精度に検出することができる表示装置を提供する。【解決手段】  画像を表示する表示部４の内部及び周辺部の少なくとも一方に配置され、検出光を射出する光源部ｄ３３，ｄ３６，ｄ７３，ｄ７６，ｄ１０３，ｄ１０６，ｄ１４３，ｄ１４６と、眼球内の網膜により反射された前記検出光を検出する検出部６ａ〜６ｃと、前記検出部６ａ〜６ｃによる検出結果を解析する解析部とを備える。【選択図】  図１
2010210737.tif 000002
【特許請求の範囲】
【請求項１】
画像を表示する表示部の内部及び周辺部の少なくとも一方に配置され、検出光を射出する光源部と、
眼球内の網膜により反射された前記検出光を検出する検出部と、
前記検出部による検出結果を解析する解析部と、
を備えることを特徴とする表示装置。
【請求項２】
前記光源部は、前記表示部に表示される静止画像と次に表示される静止画像との間に、前記表示部を構成する発光素子の少なくとも１つから前記検出光として可視光を所定時間射出することを特徴とする請求項１記載の表示装置。
【請求項３】
前記光源部は、前記表示部に表示される静止画像と次に表示される静止画像との間に、前記表示部を構成する受発光素子の少なくとも１つから前記検出光として可視光を所定時間射出し、
前記検出部は、前記受発光素子の少なくとも１つにより前記検出光を検出することを特徴とする請求項１記載の表示装置。
【請求項４】
前記光源部は、前記検出光として赤外光を射出することを特徴とする請求項１記載の表示装置。
【請求項５】
前記光源部は、受発光素子から前記検出光を射出し、
前記検出部は、前記受発光素子により前記検出光を検出することを特徴とする請求項４記載の表示装置。
【請求項６】
前記光源部は、波長の異なる２以上の前記検出光を射出することを特徴とする請求項１〜請求項５の何れか一項に記載の表示装置。
【請求項７】
一画像に対する前記検出光の射出数及び射出タイミングの少なくとも一方を制御する制御部を備えることを特徴とする請求項１〜請求項６の何れか一項に記載の表示装置。
【請求項８】
前記検出部は、撮像装置を備え、
前記検出光のパルス信号と、前記撮像装置から出力される撮像信号とを同期させることを特徴とする請求項１、請求項２、請求項４、請求項６及び請求項７の何れか一項に記載の表示装置。
【請求項９】
前記撮像装置は、前記表示部の内部に設置されることを特徴とする請求項８記載の表示装置。
【請求項１０】
前記検出部は、前記網膜により反射された前記検出光と判断できる一対の輝点を検出することを特徴とする請求項１〜請求項９の何れか一項に記載の表示装置。
【発明の詳細な説明】
【技術分野】
【０００１】
本発明は、表示装置に関するものである。
【背景技術】
【０００２】
ＬＥＤ（発光ダイオード）を発光絵素とするマトリックスパネル表示装置（ＬＥＤ表示装置）が知られている（例えば、特許文献１参照）。
【先行技術文献】
【特許文献】
【０００３】
【特許文献１】特公昭６２−５２３１２号公報
【発明の概要】
【発明が解決しようとする課題】
【０００４】
ところで、広告等を目的とした看板としてＬＥＤ表示装置を街中等に設置した場合、ＬＥＤ表示装置を実際に視認している人を把握するのは困難な場合があった。
【０００５】
本発明の目的は、表示部を視認しているか否かを容易かつ高精度に検出することができる表示装置を提供することである。
【課題を解決するための手段】
【０００６】
本発明の表示装置は、画像を表示する表示部の内部及び周辺部の少なくとも一方に配置され、検出光を射出する光源部と、眼球内の網膜により反射された前記検出光を検出する検出部と、前記検出部による検出結果を解析する解析部とを備えることを特徴とする。
【発明の効果】
【０００７】
本発明の表示装置によれば、表示部を視認しているか否かを容易かつ高精度に検出することができる。
【図面の簡単な説明】
【０００８】
【図１】第１の実施の形態に係るＬＥＤ表示装置の外観を示す図である。
【図２】第１の実施の形態に係るＬＥＤ表示装置のシステム構成を示すブロック図である。
【図３】第１の実施の形態に係るＬＥＤ表示装置において表示部を視認した人の瞳を検出するための処理について説明するためのフローチャートである。
【図４】第１の実施の形態に係るＬＥＤ表示装置において画像表示信号、検出用パルス信号、及び撮像信号が出力されるタイミングの関係を示すタイムチャートである。
【図５】第２の実施の形態に係るＬＥＤ表示装置の外観を示す図である。
【図６】第２の実施の形態に係るＬＥＤ表示装置のシステム構成を示すブロック図である。
【図７】第２の実施の形態に係るＬＥＤ表示装置において画像表示信号、検出用パルス信号、及び撮像信号が出力されるタイミングの関係を示すタイムチャートである。
【図８】第３の実施の形態に係る表示装置の外観を示す図である。
【図９】第３の実施の形態に係る表示装置のシステム構成を示すブロック図である。
【発明を実施するための形態】
【０００９】
以下、図面を参照して、本発明の第１の実施の形態に係るＬＥＤ表示装置について説明する。なお、この実施の形態に係るＬＥＤ表示装置としては、広告等を目的とした看板等として床等の上に載置されるものや建物の外壁等に設置されるもの等であり、多数の発光素子により構成された表示画面に動画像や静止画像を含む様々な画像を表示するものを例に挙げて説明する。
【００１０】
図１は、第１の実施の形態に係るＬＥＤ表示装置２の構成を示す図である。図１に示すように、ＬＥＤ表示装置２は、後述する記憶部１２（図２参照）に記憶されている画像データから形成される画像を表示する表示部４を備えている。表示部４は、ＬＥＤ等により構成され、マトリクス状に配置された複数の発光素子ｄ１０〜ｄ１６９を備えている。複数の発光素子ｄ１０〜ｄ１６９のそれぞれは、複数の発光色からなり、表示部４に表示される画像の１画素として機能する。また、発光素子ｄ３３，ｄ３６，ｄ７３，ｄ７６，ｄ１０３，ｄ１０６，ｄ１４３，ｄ１４６は、検出光を射出する光源部としても機能する。また、ＬＥＤ表示装置２は、図示しない撮影レンズや撮像素子により構成され、後述する検出光を撮像するための３つの撮像装置６ａ，６ｂ，６ｃを備えている。なお、この実施の形態では、３つの撮像装置６ａ〜６ｃを備えているが、１つ以上の撮像装置を備えていればよい。
【００１１】
図２は、第１の実施の形態に係るＬＥＤ表示装置２のシステム構成を示すブロック図である。図２に示すように、ＣＰＵ等により構成され、ＬＥＤ表示装置２の各部を統括的に制御する制御部１０には、上述の撮像装置６ａ〜６ｃ、及び制御部１０が動作するためのプログラムや表示部４に表示させる画像に基づく画像データ等を記憶する記憶部１２が接続されている。また、制御部１０には、表示部４を構成する個々の発光素子ｄ１０〜ｄ１６９を駆動する駆動部１４が接続されており、駆動部１４には、表示部４が接続されている。
【００１２】
この実施の形態において表示部４に画像を表示する場合には、制御部１０は、記憶部１２に記憶されている画像データを取得し、取得した画像データに基づいて各発光素子ｄ１０〜ｄ１６９の発光色を設定する。そして、制御部１０は、設定された各発光素子ｄ１０〜ｄ１６９の発光色に基づく画像表示信号を駆動部１４に対して出力し、駆動部１４を介して各発光素子ｄ１０〜ｄ１６９の点灯を制御することにより、表示部４に画像を表示させる。なお、この実施の形態では、表示部４に表示される画像として、記憶部１２に記憶されている画像データを用いているが、図示しないネットワーク端子等を介して接続されるネットワーク上に存在するサーバ等に蓄積されている画像データを用いることもできる。
【００１３】
また、ＬＥＤ表示装置２は、例えばＬＥＤ表示装置２が広告看板として街中に設置されている場合において、ＬＥＤ表示装置２の前を通り過ぎる人の中で実際に表示部４に表示されている画像を視認する人が何人いるかを検出することができる機能を備えている。図３は、第１の実施の形態に係るＬＥＤ表示装置２において表示部４を視認した人の瞳を検出するための処理について説明するためのフローチャートである。なお、表示部４には、記憶部１２に記憶されている画像データから形成される動画像が表示されているものとして説明を行う。
【００１４】
まず、制御部１０は、図４のタイムチャートに示すように、動画像を構成する１フレームを表示するための画像表示信号ｓ１を出力した後であって、次のフレームを表示するための画像表示信号ｓ２を出力する前に、検出光を射出するための検出用パルス信号ｐ１，ｐ２を駆動部１４に対して出力し、駆動部１４を介して発光素子ｄ３３，ｄ３６，ｄ７３，ｄ７６，ｄ１０３，ｄ１０６，ｄ１４３，ｄ１４６から検出光を射出させる（ステップＳ１０）。検出光は、波長約４００〜８００ｎｍの可視光であり、人が視認することができない程度の短い時間（例えば、検出光の強度が弱い場合には約０．５ｍｓｅｃ以下）射出される。
【００１５】
また、制御部１０は、画像表示信号ｓ１とｓ２との間に出力された検出用パルス信号ｐ１，ｐ２であることを識別するために、検出用パルス信号の出力数及び出力タイミングの制御、即ち検出光の射出数及び射出タイミングの制御を行う。例えば、図４に示すように、画像表示信号ｓ１とｓ２との間に２度の検出用パルス信号ｐ１，ｐ２を出力させているのに対し、画像表示信号ｓ２とｓ３との間に１度の検出用パルス信号ｐ３を出力させている。また、画像表示信号ｓ１とｓ２との間に対する２度の検出用パルス信号ｐ１，ｐ２の出力タイミングと、画像表示信号ｓ３と次の画像表示信号との間に対する２度の検出用パルス信号ｐ４，ｐ５の出力タイミングとが異なるように、各検出用パルス信号ｐ１，ｐ２，ｐ４，ｐ５を出力させている。このように、画像表示信号に対する検出用パルス信号の出力数及び出力タイミングを変化させることにより、何れの画像表示信号が出力されたとき、ひいては何れのフレームが表示部４に表示されているときに出力された検出用パルス信号であるかを識別することができる。また、後述する解析結果を見直すときの表示部４に表示されていた画像との関連を示すタグとして機能させることができる。
【００１６】
なお、この実施の形態では、検出用パルス信号の出力数及び出力タイミングを制御しているが、検出用パルス信号の出力数または出力タイミングを制御することもできる。また、動画像中の所定シーン等、視認しているか否かの確認を所望する部分に対してのみ検出用パルス信号を出力するよう制御してもよい。
【００１７】
発光素子ｄ３３，ｄ３６，ｄ７３，ｄ７６，ｄ１０３，ｄ１０６，ｄ１４３，ｄ１４６から射出された検出光は、表示部４を視認している人がいた場合には、その視認している人の眼球の網膜により反射される。そして、制御部１０は、撮像装置６ａ〜６ｃを用いて、網膜により反射された検出光を検出する（ステップＳ１１）。具体的には、制御部１０は、撮像装置６ａ〜６ｃに対して制御信号を出力する。撮像装置６ａ〜６ｃは、図４に示すように、制御部１０からの制御信号にしたがって、画像表示信号ｓ１を出力した後であって画像表示信号ｓ２を出力する前の間、連続的に撮像を行い、各撮像における撮像信号ｔ１〜ｔ５を制御部１０に対して出力する。
【００１８】
なお、画像表示信号が出力されていない間のみ撮像信号を出力させているが、画像表示信号の出力の有無にかかわらず連続的に撮像信号を出力させることもできる。また、網膜により反射された検出光を確実に撮像するために、例えば図４に示す検出用パルス信号ｐ１に対する撮像信号ｔ２，及び検出用パルス信号ｐ２に対する撮像信号ｔ３のように、検出用パルス信号と撮像信号とを同期させる必要がある。
【００１９】
また、撮像装置６ａの画角は、発光素子ｄ３３，ｄ３６により射出され、網膜により反射された検出光が撮像装置６ａにより撮像されるように予め設定されている。同様に、撮像装置６ｂ，６ｃの画角も、発光素子ｄ７３，ｄ７６，ｄ１０３，ｄ１０６により射出された検出光が撮像装置６ｂにより撮像され、発光素子ｄ１４３，ｄ１４６により射出された検出光が撮像装置６ｃにより撮像されるように、予め設定されている。
【００２０】
次に、制御部１０は、撮像装置６ａ〜６ｃから出力された撮像信号を取得し、解析を行う（ステップＳ１２）。具体的には、制御部１０は、撮像装置６ａ〜６ｃから出力された撮像信号から画像データを生成し、生成された画像データに対して画像処理を施す。一般的には、網膜により反射された場合、毛細血管での反射も含まれるため、赤目になる。即ち、網膜での反射光は波長の長い光となるのでその波長域の光をフィルタリングする。例えば、生成された画像データから形成される画像に、表示部４を視認した人の網膜により反射された検出光のみが写るように、ステップＳ１１において撮像装置６ａ〜６ｃにより撮像する前に波長選択フィルタを通過させるようにしてもよく、ステップＳ１２において生成された画像データに対して特定波長のみを取り出す画像処理を施すようにしてもよい。また、ＬＥＤ表示装置２の前を通り過ぎたが表示部４を視認していない人の網膜に、表示部４上の発光素子から射出された検出光は入射しないため、または、検出光が入射した場合においても異なる方向に反射されるため、画像に、表示部４を視認していない人の網膜により反射された検出光が写ることはない。よって、画像に写っている検出光、即ち、表示部４を視認した人の両眼に対応した一対の輝点（赤点）をカウントすることにより、表示部４を視認した人の数を把握することができる。
【００２１】
また、発光素子ｄ３３，ｄ３６，ｄ７３，ｄ７６，ｄ１０３，ｄ１０６，ｄ１４３，ｄ１４６から射出される検出光の指向性を調整することにより、表示部４の何れの部分を視認しているのかを判別することができる。例えば、検出光の指向性を強く設定した場合には、発光素子ｄ３３，ｄ３６から射出され、撮像装置６ａにより撮像された検出光は、表示部４の左側を視認した人の網膜により反射された検出光であると解析することができる。同様に、発光素子ｄ７３，ｄ７６，ｄ１０３，ｄ１０６から射出され、撮像装置６ｂにより撮像された検出光は、表示部４の中央部を視認した人の網膜により反射された検出光であると解析され、発光素子ｄ１４３，ｄ１４６から射出され、撮像装置６ｃにより撮像された検出光は、表示部４の右側を視認した人の網膜により反射された検出光であると解析される。更に、例えば、撮像装置６ａ〜６ｃにより検出光と共に人の顔の輪郭（エッジ）を撮像できる場合には、その輪郭から向いている方向を特定する等の公知の解析方法を用いて、表示部４を視認した人、や表示部４の何れの部分を視認しているのかをより精度良く解析することができる。
【００２２】
ステップＳ１２による解析結果から、表示部４にどのような画像が表示されているときに、幾人の人がその画像を視認したか、その画像の何れの部分を視認したかを把握することができる。
【００２３】
第１の実施の形態に係るＬＥＤ表示装置２によれば、表示部４の内部に検出光を射出する発光素子を備え、表示部４の周辺部に検出光を撮像する撮像装置を備えているため、表示部４を視認している人の網膜を反射した検出光のみを容易かつ精度良く検出することができる。即ち、ＬＥＤ表示装置２の前を通過した人が表示部４を視認しているか否かを容易かつ高精度に検出することができる。また、ＬＥＤ表示装置２の前を通過した人であって表示部４を視認した人のみを検出することができるため、従来技術のように、ＬＥＤ表示装置２の前を通過した人全員の顔の向きや目の位置を解析する必要がないため、解析に要する時間を大幅に削減することができる。また、画像を表示するための発光素子の一部を、検出光を射出する光源部として機能させているため、検出光を射出するためだけの発光素子等を備える必要がないため、ＬＥＤ表示装置２のコンパクト化及び低コスト化を図ることができる。
【００２４】
なお、第１の実施の形態においては、画像を表示するための発光素子の一部を光源部として機能させているが、画像を表示するための発光素子の全部を光源部として機能させることもできる。
【００２５】
次に、図面を参照して、本発明の第２の実施の形態に係るＬＥＤ表示装置について説明する。図５は、第２の実施の形態に係るＬＥＤ表示装置２０の構成を示す図である。図５に示すように、ＬＥＤ表示装置２０は、画像を表示する表示部２２を備えており、表示部２２は、ＬＥＤ等により構成され、マトリクス状に配置された複数の発光素子２４を備えている。発光素子２４は、複数の発光色からなり、表示部２２に表示される画像の１画素として機能する。また、表示部２２の内部には、赤外ＬＥＤ等により構成され、発光素子２４と２４との間にマトリクス状に配置された赤外発光素子２６が設置されている。複数の赤外発光素子２６は、波長約８００ｎｍ〜１５μｍの赤外域の検出光を射出する光源部３６（図６参照）として機能する。
【００２６】
また、ＬＥＤ表示装置２は、表示部２２の内部に設置され、後述する検出光を撮像するための撮像装置２８を備えている。なお、この実施の形態では、１つの撮像装置２８を備えているが、２つ以上の撮像装置を備えることもできる。
【００２７】
図６は、第２の実施の形態に係るＬＥＤ表示装置２０のシステム構成を示すブロック図である。図６に示すように、ＬＥＤ表示装置２０の各部を統括的に制御する制御部３０には、上述の撮像装置２８、及び制御部３０が動作するためのプログラムや画像データ等を記憶する記憶部３２が接続されている。また、制御部３０には、表示部２２を構成する個々の発光素子２４を駆動する駆動部３４が接続されており、駆動部３４には、表示部２２が接続されている。また、制御部３０には、複数の赤外発光素子２６により構成される光源部３６が接続されている。
【００２８】
第２の実施の形態に係る表示部２２への画像の表示方法は、第１の実施の形態に係る表示部４への画像の表示方法と同一のため説明を省略する。また、ＬＥＤ表示装置２０は、ＬＥＤ表示装置２と同様に、ＬＥＤ表示装置２０の前を通り過ぎる人の中で実際に表示部２２に表示されている画像を視認する人が何人いるかを検出することができる機能を備えている。
【００２９】
まず、制御部３０は、例えば記憶部３２に記憶されている画像データから形成される動画像を読み込み、表示部２２に表示させる。そして、制御部３０は、図７のタイムチャートに示すように、動画像を構成する１フレームを表示するための画像表示信号の出力の有無にかかわらず、検出光を射出するための検出用パルス信号を光源部３６に対して出力し、光源部３６を構成する赤外発光素子２６のそれぞれから赤外域の検出光を射出させる。
【００３０】
制御部３０は、第１の実施の形態と同様に、画像表示信号ｓ１０に対する検出用パルス信号ｐ１０であることを識別するために、検出用パルス信号の出力数及び出力タイミングの制御を行う。例えば、図７に示すように、画像表示信号ｓ１０に対して５度の検出用パルス信号ｐ１０を出力しているのに対し、画像表示信号ｓ３０に対して２度の検出用パルス信号ｐ３０を出力している。また、画像表示信号ｓ１０に対する５度の検出用パルス信号ｐ１０の出力タイミングと、画像表示信号ｓ２０に対する５度の検出用パルス信号ｐ２０の出力タイミングとは異なっている。
【００３１】
赤外発光素子２６から射出された検出光は、表示部２２を視認している人がいた場合には、その視認している人の眼球の網膜により反射され、制御部３０は、撮像装置２８を用いて、網膜により反射された検出光を検出する。なお、撮像装置２８は、図７に示すように、画像表示信号の出力の有無にかかわらず、連続的に撮像信号ｔ１０を制御部３０に対して出力しており、検出用パルス信号と撮像信号とは同期している。
【００３２】
次に、制御部３０は、撮像装置２８から出力された撮像信号から画像データを生成し、生成された画像データに対して画像処理を施す。生成された画像データから形成される画像には、表示部２２を視認した人の網膜により反射された検出光のみが写る。よって、画像に写っている検出光をカウントすることにより、表示部２２を視認した人の数を把握することができる。
【００３３】
第２の実施の形態に係るＬＥＤ表示装置２０によれば、第１の実施の形態に係るＬＥＤ表示装置２による効果に加え、人が視認することができない赤外域の検出光を射出するため、表示部２２に表示される画像の画質を低下させることなく、検出光を検出することができる。また、画像表示信号が出力されている間も検出用パルス信号を射出することができるため、ＬＥＤ表示装置２０の前を通過した人が表示部２２を視認しているか否かをより高精度に検出することができる。
【００３４】
なお、第１及び第２の実施の形態においては、検出光を検出する検出部として撮像装置を備えているが、撮像装置に代えて検出光を検出する光センサを備えることもできる。この場合には、検出精度を高めるために、検出光を射出する発光素子等の近傍に光センサを配置し、隣接する発光素子等から射出される検出光と同期しない指向性の強い検出光を射出させる。
【００３５】
また、第２の実施の形態においては、表示部２２の内部に光源部としての赤外発光素子２６を配置しているが、表示部２２の周辺部に赤外発光素子２６を配置してもよい。
【００３６】
次に、図面を参照して、本発明の第３の実施の形態に係る表示装置について説明する。図８は、第３の実施の形態に係る表示装置４０の構成を示す図である。図８に示すように、表示装置４０は、画像を表示する表示部４２を備えており、表示部４２は、マトリクス状に配置された複数の受発光素子４４を備えている。受発光素子４４は、複数の発光色からなり、表示部４２に表示される画像の１画素として機能する。また、受発光素子４４は、検出光を射出する光源部、及び検出光を検出する検出部として機能する。
【００３７】
図９は、第３の実施の形態に係る表示装置４０のシステム構成を示すブロック図である。図９に示すように、表示装置４０の各部を統括的に制御する制御部４６には、制御部４６が動作するためのプログラムや画像データ等を記憶する記憶部４８、表示部４２を構成する個々の受発光素子４４を駆動する駆動部５０が接続されており、駆動部５０には、表示部４２が接続されている。
【００３８】
この実施の形態において表示部４２に画像を表示する場合には、制御部４６は、記憶部４８に記憶されている画像データに基づいて各受発光素子４４の発光色を設定する。そして、制御部４６は、設定された各受発光素子４４の発光色に基づく画像表示信号を駆動部５０に対して出力し、駆動部５０を介して各受発光素子４４の点灯を制御することにより、表示部４２に画像を表示させる。
【００３９】
また、表示装置４０は、ＬＥＤ表示装置２，２０と同様に、表示装置４０の前を通り過ぎる人の中で実際に表示部４２に表示されている画像を視認する人が何人いるかを検出することができる機能を備えている。
【００４０】
まず、制御部４６は、記憶部４８に記憶されている画像データから形成される動画像を、表示部４２に表示させる。そして、動画像を構成する１フレームを表示するための画像表示信号を出力した後であって、次のフレームを表示するための画像表示信号を出力する前に、検出光を射出するための検出用パルス信号を駆動部５０に対して出力し、駆動部５０を介して受発光素子４４から検出光を射出させる。検出光は、波長約４００〜８００ｎｍの可視光であり、人が視認することができない程度の短い時間（例えば、検出光の強度が弱い場合には約０．５ｍｓｅｃ以下）射出される。また、制御部４６は、第１及び第２の実施の形態と同様に、検出用パルス信号の出力数及び出力タイミングの制御を行う。
【００４１】
受発光素子４４から射出された検出光は、表示部４２を視認している人がいた場合には、その視認している人の眼球の網膜により反射される。そして、制御部４６は、受発光素子４４で網膜を反射した検出光を受光することにより、検出光の検出を行う。次に、制御部４６は、受発光素子４４による検出された検出光の解析を行う。即ち、受発光素子４４により受光される検出光は、表示部４２を視認した人の網膜により反射された検出光のみであるため、受発光素子４４により受光された検出光をカウントすることにより表示部４２を視認した人の数を把握することができる。
【００４２】
第３の実施の形態に係る表示装置４０によれば、第１及び第２の実施の形態に係るＬＥＤ表示装置２，２０による効果に加え、受発光素子４４により、画像の表示、検出光の射出、及び検出光の受光を行うことができるため、表示装置のコンパクト化及び低コスト化を図ることができ、かつ無駄のないシンプルな構成にすることができる。
【００４３】
なお、第２及び第３の実施の形態においては、検出光を射出する赤外発光素子２６または受発光素子４４が表示部全体に配置されているが、赤外発光素子２６または受発光素子４４を表示部の一部に配置するようにしてもよい。また、画像を表示するための発光素子を表示部全体にマトリクス状に配置し、表示部の内部または周辺部に１つ以上の受発光素子を配置し、受発光素子により検出光を射出及び検出するようにしてもよい。また、第１及び第２の実施の形態を組み合わせた形態、即ち、画像の一画像として機能し検出光を射出する発光素子、及び検出光のみを射出する赤外発光素子を備えたものにしてもよい。また、第１及び第３の実施の形態を組み合わせた形態、即ち、画像の一画像として機能し検出光を射出する発光素子及び受発光素子を備えたものにしてもよい。更に、第２及び第３の実施の形態を組み合わせた形態、即ち、検出光のみを射出する赤外発光素子、及び画像の一画像として機能し検出光を射出する受発光素子を備えたものにしてもよい。また、赤外域の検出光を射出し、検出光を受光する赤外受発光素子を備えたものにしてもよい。
【００４４】
また、上述の各実施の形態においては、表示装置としてＬＥＤ表示装置や受発光素子を備えた表示装置を例に挙げて説明したが、有機ＥＬ（ＯＬＥＤ）表示装置にも本発明を適用することができる。また、液晶ディスプレイやプラズマディスプレイにも本発明を適用することができる。この場合には、検出光を射出する光源部及び検出光を検出する検出部を表示部の周辺部に設ける。
【００４５】
また、上述の各実施の形態においては、検出光の波長域によっては検出光が眼鏡やサングラス等により吸収されるため、検出光が網膜まで到達せず、眼鏡やサングラス等をかけている人が表示部を視認しているか否かを精度良く検出できない場合がある。この場合には、所定の波長域を有する検出光及び眼鏡やサングラスを透過する波長域の検出光（例えば短波長の光）を射出させる等、波長の異なる２以上の検出光を射出させることにより、より高精度に表示部を視認しているか否かを検出することができる。
【００４６】
また、上述の各実施の形態においては、表示部に動画像を表示している間、検出光を射出しているが、例えば視認されているか否かを確認する必要があるシーン等のみ検出光を射出するようにしてもよい。
【符号の説明】
【００４７】
２，２０…ＬＥＤ表示装置、４，２２，４２…表示部、６ａ〜６ｃ，２８…撮像装置、１０，３０，４６…制御部、１２，３２，４８…記憶部、１４，３４，５０…駆動部、４０…表示装置。
【図１】
2010210737.tif 000003
【図２】
2010210737.tif 000004
【図３】
2010210737.tif 000005
【図４】
2010210737.tif 000006
【図５】
2010210737.tif 000007
【図６】
2010210737.tif 000008
【図７】
2010210737.tif 000009
【図８】
2010210737.tif 000010
【図９】
2010210737.tif 000011